(57)【要約】      （修正有）【課題】ブラケットに対して手摺受け部が角度調整可能であり、ブラケットと手摺受け部との結合部の見栄えがよい手摺用ブラケットを提供すること。【解決手段】手摺受け部１に凹み部１１を設けると共に当該凹み部１１の底壁１２外面側を凹の円弧状に形成し、ブラケット２の一端部に凸の円弧部２０を形成し、上記円弧部２０と円弧状の底壁１２外面は同一又は略同一の半径で摺動が可能としてあり、底壁１２の円弧ラインに沿って当該底壁１２に形成された長孔１７に、ブラケット２の円弧部２０から突出する軸部（ネジ部３２）が挿通されていると共に、前記軸部に円弧部２０との関係で底壁１２を挟み込む拡大径部（頭部３１）が設けられ、前記拡大径部は凹み部１１内に収まっている。【選択図】図３
2007146589.tif 000002
【特許請求の範囲】
【請求項１】
手摺受け部に凹み部を設けると共に当該凹み部の底壁外面側を凹又は凸の一方の円弧状に形成し、ブラケットの一端部に凹又は凸の他方の円弧部を形成し、上記円弧部と円弧状の底壁外面は同一又は略同一の半径で摺動が可能としてあり、底壁の円弧ラインに沿って当該底壁に形成された長孔に、ブラケットの円弧部から突出する軸部が挿通されていると共に、前記軸部に円弧部との関係で底壁を挟み込む拡大径部が設けられ、前記拡大径部は凹み部内に収まっていることを特徴とする手摺用ブラケット。
【請求項２】
軸部はボルト部であり、拡大径部はナット又はボルト頭であることを特徴とする請求項１記載の手摺用ブラケット。
【請求項３】
手摺受け部は、鉛直状態に起立しているブラケットに対して、水平状態から最大で５０°傾け得るものとしてあることを特徴とする請求項１又は２記載の手摺用ブラケット。
【請求項４】
軸部に外挿する態様で、長孔の幅寸法よりも僅かに幅狭の座金をブラケットの円弧状部に接着し、前記座金を長孔に嵌め込んであることを特徴とする請求項１乃至３のいずれかに記載の手摺用ブラケット。
【発明の詳細な説明】
【技術分野】
【０００１】
この発明は、手摺受け部をブラケットに角度調整可能に取り付けて成る手摺用ブラケットに関するものである。
【背景技術】
【０００２】
手摺は、階段の傾斜や廊下の床面と平行に設置されるが、当該設置には通常手摺用ブラケットが用いられている。そして、この種の手摺用ブラケットは、傾斜角度の相違する階段や廊下等を一種類で対応可能とするため、ブラケットに手摺受け部を角度調整可能に取り付けた構成になっている。
【０００３】
しかしながら、従来の手摺用ブラケットは、ブラケットに対して手摺受け部を角度調整可能とする手法として、ボルト・ナットやピンを用いた所謂ヒンジ結合（手摺受け部側の一枚の板をブラケット側の二枚の板で挟み込み、ボルト・ナットやピンを挿通させる結合）の形態を採っている（例えば、特許文献１）ため、結合部の見栄えが良くないという問題があった。
【０００４】
したがって、手摺用ブラケットを取り扱う業界では、一種類で階段及び廊下の設置が可能であり、且つブラケットと手摺受け部の結合部分の見栄えがよい手摺用ブラケットの開発に取り組んでいる。
【特許文献１】特開２００４−１８３３８９
【発明の開示】
【発明が解決しようとする課題】
【０００５】
そこで、この発明では、ブラケットに対して手摺受け部が角度調整可能であり、ブラケットと手摺受け部との結合部の見栄えがよい手摺用ブラケットを提供することを課題とする。
【課題を解決するための手段】
【０００６】
（請求項１記載の発明）
この発明の手摺用ブラケットは、手摺受け部に凹み部を設けると共に当該凹み部の底壁外面側を凹又は凸の一方の円弧状に形成し、ブラケットの一端部に凹又は凸の他方の円弧部を形成し、上記円弧部と円弧状の底壁外面は同一又は略同一の半径で摺動が可能としてあり、底壁の円弧ラインに沿って当該底壁に形成された長孔に、ブラケットの円弧部から突出する軸部が挿通されていると共に、前記軸部に円弧部との関係で底壁を挟み込む拡大径部が設けられ、前記拡大径部は凹み部内に収まっている。
（請求項２記載の発明）
この発明は、上記請求項１記載の発明に関し、軸部はボルト部であり、拡大径部はナット又はボルト頭である。
（請求項３記載の発明）
この発明は、上記請求項１又は２記載の発明に関し、手摺受け部は、鉛直状態に起立しているブラケットに対して、水平状態から最大で５０°傾け得るものとしてある。
（請求項４記載の発明）
この発明は、上記請求項１乃至３のいずれかに記載の発明に関し、軸部に外挿する態様で、長孔の幅寸法よりも僅かに幅狭の座金をブラケットの円弧状部に接着し、前記座金を長孔に嵌め込んである。
【発明の効果】
【０００７】
この発明の手摺用ブラケットでは、ブラケットに対して手摺受け部が角度調整可能であり、ブラケットと手摺受け部との結合部の見栄えがよい。
【発明を実施するための最良の形態】
【０００８】
以下にこの発明の手摺用ブラケットを実施するための最良の形態として実施例について詳しく説明する。
【実施例１】
【０００９】
図１はこの発明の手摺用ブラケットＴＢを使用して階段Ｋに手摺り８を設置した状態を示す側面図、図２は前記手摺用ブラケットＴＢの分解斜視図、図３は組立状態にある前記手摺用ブラケットＴＢの手摺受け部１が水平になっている状態を示す断面図、図４は図３の状態から手摺受け部１が５０°傾いた状態を示す断面図、図５は前記手摺用ブラケットＴＢの正面図、図６は前記手摺用ブラケットＴＢの背面図を示している。
（この手摺用ブラケットＴＢの基本的構成について）
この手摺用ブラケットＴＢは、図１、図３、図４に示すように、手摺り８を受け支えるための手摺受け部１と、直立ポール９の上端に取り付けられるブラケット２と、前記ブラケット２に対して手摺受け部１を角度調整可能に取り付ける締結手段３とから構成されており、前記締結手段３は手摺り８と手摺受け部１により包囲されることにより外部から見えないようになっている。
（手摺受け部１の構成について）
手摺受け部１は、アルミ材等の金属部材により構成されており、図２や図３に示すように、受け部本体１０の中程に凹み部１１を設けると共に当該凹み部１１の底壁１２を外面側が凹の円弧部１３となるように形成してある。
【００１０】
受け部本体１０は、図２、図５、図６に示すように、手摺り８の長手方向と直交する左右方向で円弧状に形成されていると共に左右端縁及びこれらの中央部（凹み部１１部分除く）にはリブ１４，１５，１４が形成されており、これらのリブ１４，１５，１４により手摺り８を支持するようにしてある。なお、前記リブ１５上には、図２や図３に示すように、凹み部１１を挟んで二つのネジ挿通孔１６を穿設してある。
【００１１】
凹み部１１は、図３や図４に示すように、締結手段３であるネジ部材３０の頭部３１（拡大径部）が十分に収まる大きさに設定してあり、その底壁１２には円弧部１３のラインに沿って（手摺り８が長手方向に延びる方向に長い）長孔１７を形成してある。なお、この凹み部１１の平面視形状は、図５に示すように長方形であり、底壁１２は図２に示すように、厚みは一定厚であると共に底面は外面が凹の円弧状となっている。
（ブラケット２の構成について）
ブラケット２は、図２や図３に示すように、その上端部に上記円弧部１３と同一径又は略同一径の凸の円弧部２０が形成されており、下端部側には直立ポール９の上端部が嵌まり込む嵌入溝２１を設けてある。
【００１２】
上記円弧部２０には、図３に示すように、垂直線Ｌに対して２５°（符号θ）傾いた雌ネジ部２２が形成されており、上記ネジ部材３０のネジ部３２が螺入されるようになっている。
（締結手段３について）
締結手段３は、図２や図３に示すように、頭部３１（課題を解決するための手段の欄に記載の拡大径部に相当する）とネジ部３２（課題を解決するための手段の欄に記載の軸部に相当する）とから構成されている。
（手摺受け部１とブラケット２との締結手段３による結合について）
手摺受け部１とブラケット２との締結手段３による結合は、図３に示すように、ブラケット２の上端部の円弧部２０に、手摺り受け部１の円弧部１３を被せ、この状態においてネジ部材３０（バネ座金を挿通させておいてもよい）を、長孔１７を介してブラケット２の雌ネジ部２２に螺入する態様で行われている。
【００１３】
したがって、この手摺用ブラケットＴＢでは、円弧部２０と円弧部１３は同一又は略同一の半径で摺動が可能である。なお、この実施例では、手摺受け部１は、図３や図４に示す水平状態から最大で５０°傾け得るようにしてある。
（手摺り８と直立ポール９について）
手摺り８は、図１や図５に示すように円管状のものであり、その内面には９０°間隔でリブ８０を設けて構成してある。なお、この手摺り８を手摺受け部１に固定する場合には、当該手摺り８に事前にネジ孔を形成しておき、ネジ挿通孔１６を介して当該ネジ孔に小ネジ４０を螺入するようにすればよい。
【００１４】
直立ポール９は、図１や図３に示すように円管状のものであり、下端部に皿状板を固着してある。なお、この直立ポール９の上端にブラケット２を取り付ける場合、直立ポール９の上端部にブラッケト２の嵌入溝２１を嵌め込むようすればよい。
（この手摺用ブラケットＴＢの優れた機能について）
(1)角度調整ができることについて  
この実施例の手摺用ブラケットＴＢでは、雌ネジ部２２に対するネジ部材３０の螺入量を減少させて締結力を弱めると、円弧部１３と円弧部２０は同一又は略同一の半径で摺動が可能と成り、ブラケット２に対して手摺受け部１の角度調整ができる。そして、所望の位置で螺子部材３０を締め付けることにより、その状態が維持される。つまり、ボルト・ナットやピンを使用したヒンジ結合による従来の手摺用ブラケットと同様にブラケットに対する手摺受け部の角度調整が可能である。
【００１５】
したがって、この手摺用ブラケットＴＢは、図１に示す如き階段用手摺りの設置に使用することも、またフラットな床面用手摺りの設置にも使用できる。
【００１６】
(2)見栄えが良いことについて
上述した如く従来の手摺用ブラケットは、ブラケットに対して手摺受けを角度調整可能とする手法として、ボルト・ナットやピンを用いた所謂ヒンジ結合(手摺受け側の一枚の板をブラケット側の二枚の板で挟み込み、ボルト・ナットやピンを挿通させる結合）の形態を採っているため結合部の見栄えが良くないという問題があった。
【００１７】
これに対して、この実施例の手摺用ブラケットＴＢでは、ブラケット2に対する手摺受け部１の取り付け部材であるネジ部材３０は、締結手段３は手摺り８と手摺受け部１により包囲され、外部から見えない。したがって、この手摺用ブラケットＴＢでは、ブラケット2と手摺受け部１との結合部は見栄えがよいものとなっている。
(3) まとめ
上記(1)(2)から明らかなように、この手摺用ブラケットＴＢは、ブラケット２に対して手摺受け部１が角度調整可能であり、ブラケット２と手摺受け部１との結合部は見栄えがよい。
（他の実施の形態）
(1)上記実施例１では、手摺受け部１とブラケット２との締結手段３による結合は、上述した如くネジ部材３０を、長孔１７を介してブラケット２の雌ネジ部２２に螺入する態様で行われているが、図７や図８に示す形態を採ってもよい。即ち、ネジ部材３０のネジ部３２に外挿される態様で、長孔１７の幅寸法よりも僅かに幅狭の座金３３をブラケット２の円弧状部２０に接着し、前記座金３３を長孔１７に嵌め込むものとしてもよい。この場合、ブラケット２に対する手摺受け部１の左右方向のガタツキはかなり抑制され、ガタツキがほとんど無い円滑な角度調整が可能になる。
(2)上記実施例１にかえて、図９に示すように、手摺受け部１に凹み部１１ａを設けると共に当該凹み部１１ａの底壁１２ａ外面側を凸の円弧状（円弧部１３ａ）に形成し、ブラケット２の一端部に凹の円弧部２０ａを形成し、上記円弧部２０ａと円弧部１３ａは同一又は略同一の半径で摺動が可能とするものにしてもよい。また締結手段についてはほぼ同等にネジ部材を使用すればよい。図８中、符号３ａは締結手段、符号１７ａは長孔である。
(3) 締結手段３，３ａとしては、底壁の円弧ラインに沿って当該底壁に形成された長孔に、ブラケットの円弧部から突出する軸部が挿通されていると共に、前記軸部に円弧部との関係で底壁を挟み込む拡大径部が設けられたものであればよい。
(4) 上記実施例において、円弧部２０と円弧部１３、及び円弧部２０ａと円弧部１３ａは球面対偶の形態でもよい。
【図面の簡単な説明】
【００１８】
【図１】この発明の手摺用ブラケットを使用して階段の手摺りを設置した状態を示す側面図。
【図２】前記手摺用ブラケットの分解斜視図。
【図３】組立状態にある前記手摺用ブラケットの手摺受け部が水平になっている状態を示す断面図。
【図４】図３の状態から手摺受け部が５０°傾いた状態を示す断面図。
【図５】前記手摺用ブラケットの正面図。
【図６】前記手摺用ブラケットの背面図。
【図７】他の実施の形態の手摺用ブラケットの正面図。
【図８】図７の分解斜視図。
【図９】他の実施の形態の手摺用ブラケットの断面図。
【符号の説明】
【００１９】
ＴＢ    手摺用ブラケット
１      手摺受け部
１０    受け部本体
１１    凹み部
１２    底壁
１３    円弧部
１６    ネジ挿通孔
１７    長孔
２      ブラケット
２０    円弧部
２１    嵌入溝
２２    雌ネジ部
３      締結手段
３０    ネジ部材
３１    嵌入溝
３２    雌ネジ部
８      手摺り
９      直立ポール
【図１】
2007146589.tif 000003
【図２】
2007146589.tif 000004
【図３】
2007146589.tif 000005
【図４】
2007146589.tif 000006
【図５】
2007146589.tif 000007
【図６】
2007146589.tif 000008
【図７】
2007146589.tif 000009
【図８】
2007146589.tif 000010
【図９】
2007146589.tif 000011